(57)【要約】【課題】薄型で持ちやすいというメリットを活かしつつ、ストラップに取り付ける機構や手間が不要で、かつ、使いやすくて疲れにくく、紛失しにくいタッチペンを提供する。【解決手段】タッチ入力が可能な情報端末装置に対して使用者が入力を行うためのタッチペン１０であって、略平板状に形成された把持部１と、当該把持部１に連続して設けられたペン先部２と、ペン先部２とは反対方向へ把持部１に連続して設けられたクリップ部３とを備え、クリップ部３は、把持部１と略同じ大きさの外形であり、把持部１と一体となって他の薄い物体を挟み込むことが可能なように把持部１に連続した部分で折り返され、かつ、当該クリップ部３の中央には使用者が把持した際に使用者の親指が入り込む大きさの穴３１があけられている。【選択図】図１
2020038414.tif 000002
【特許請求の範囲】
【請求項１】
タッチ入力が可能な情報端末装置に対して使用者が入力を行うためのタッチペンであって、
略平板状に形成された把持部と、
当該把持部に連続して設けられたペン先部と、
前記ペン先部とは反対方向へ前記把持部に連続して設けられたクリップ部とを備え、
前記クリップ部は、前記把持部と略同じ大きさの外形であり、前記把持部と一体となって他の薄い物体を挟み込むことが可能なように前記把持部に連続した部分で折り返され、かつ、当該クリップ部の中央には前記使用者が把持した際に前記使用者の親指が入り込む大きさの穴があけられている
ことを特徴とするタッチペン。
【発明の詳細な説明】
【技術分野】
【０００１】
この発明は、タッチパネル式の情報端末装置（タブレット端末やスマートフォンなど）における入力用のタッチペンに関するものである。
【背景技術】
【０００２】
近年、タッチパネル式の様々な情報端末装置（タブレット端末やスマートフォンなど）が一般的に用いられるようになり、それらにおける入力用器具として、ペン型のタッチペンが多く使用されている。しかし、情報端末装置の小型化に伴って、タッチペンも小型化されるようになり、持ちにくい、使いにくい、疲れやすい、紛失しやすい等の問題が発生するようになった。
【０００３】
この中で、紛失しやすい、という問題に対処するために、情報端末装置本体にタッチペンを収納できるようにしたものがよく知られている。また、丸軸棒型のペンタイプよりも薄くて持ちやすくした上で、ストラップに取り付け可能な構造として、情報端末装置本体に取り付けたストラップに取り付け可能としたものなどが、例えば特許文献１，２等に、開示されている。
【先行技術文献】
【特許文献】
【０００４】
【特許文献１】特開２００７−７２５５５号公報
【特許文献２】実用新案登録第３１７２７３６号公報
【発明の概要】
【発明が解決しようとする課題】
【０００５】
しかしながら、例えば特許文献１，２等に示すような従来のタッチペンは、ストラップに取り付ける機構を必ず必要とし、また、使用するときには取り外す必要があるため、あまり使い勝手が良いものとは言えないという課題があった。
【０００６】
この発明は、上記のような課題を解決するためになされたものであり、薄型で持ちやすいというメリットを活かしつつ、ストラップに取り付ける機構や手間が不要で、かつ、使いやすくて疲れにくく、紛失しにくいタッチペンを提供することを目的とする。
【課題を解決するための手段】
【０００７】
上記目的を達成するため、この発明は、タッチ入力が可能な情報端末装置に対して使用者が入力を行うためのタッチペンであって、略平板状に形成された把持部と、当該把持部に連続して設けられたペン先部と、前記ペン先部とは反対方向へ前記把持部に連続して設けられたクリップ部とを備え、前記クリップ部は、前記把持部と略同じ大きさの外形であり、前記把持部と一体となって他の薄い物体を挟み込むことが可能なように前記把持部に連続した部分で折り返され、かつ、当該クリップ部の中央には前記使用者が把持した際に前記使用者の親指が入り込む大きさの穴があけられていることを特徴とする。
【発明の効果】
【０００８】
この発明のタッチペンによれば、略平板状に形成された把持部と、当該把持部に連続して折り返されたクリップ部に使用者の親指が入り込むことにより、使用者は把持部のみの薄さのタッチペンを持って使っている状態となるため、指先で持つ力を必要とせず、かつ、親指がクリップ部の穴に入り込むことにより安定するため、薄型で持ちやすく、使いやすくて疲れにくいというメリットがある。また、把持部とクリップ部とにより他の薄い物体を挟み込むことができるので、使用者のカバンや手帳に取り付けて持ち歩くことが可能なため、紛失しにくいというメリットもある。
【図面の簡単な説明】
【０００９】
【図１】実施の形態１におけるタッチペンの一例を示す斜視図である。
【図２】図１に示すタッチペンを使用者が把持して使用している状態を示す説明図である。
【図３】図１に示すタッチペンを使用者が持ち歩いているカバンに取り付けている状態を示す説明図である。
【発明を実施するための形態】
【００１０】
この発明は、タッチパネル式の情報端末装置（タブレット端末やスマートフォンなど）における入力用のタッチペンに関するものである。
以下、この発明の実施の形態について、図面を参照しながら詳細に説明する。
【００１１】
実施の形態１．
図１は、この発明の実施の形態１におけるタッチペンの一例を示す斜視図である。この図１に示すとおり、この実施の形態１におけるタッチペン１０は、タッチ入力が可能な情報端末装置に対して使用者が入力を行うためのタッチペンであって、略平板状に形成された把持部１と、把持部１に連続して設けられたペン先部２と、ペン先部２とは反対方向へ把持部１に連続して設けられたクリップ部３とを備えている。
【００１２】
このクリップ部３は、把持部１と略同じ大きさの外形であり、把持部１と一体となって他の薄い物体（カバンや手帳など）を挟み込むことが可能なように把持部１に連続した部分で折り返され、かつ、当該クリップ部３の中央には使用者が把持した際にその使用者の親指が入り込む大きさの穴３１があけられている。
【００１３】
ここで、従来のタッチペンと比較してみると、従来からある通常の丸軸棒型のタッチペンを単に短くコンパクトにしただけだと、小さいために持ちにくくなる。また、タッチペンを使用者の親指より短くすると、指先だけで持たなければならなくなり、今までより指先に力を入れるようになるため、疲れやすくなる。そこで、タッチペンの厚みを薄くすると、指先で持つ力がそれほど必要ではなくなる。
【００１４】
図２は、図１に示すタッチペン１０を使用者が把持して使用している状態を示す説明図である。この図２に示すように、タッチ入力が可能な情報端末装置１００に対して使用者が入力を行う際に、略平板状に形成された把持部１と、当該把持部１に連続して折り返されたクリップ部３に使用者の親指が入り込むことにより、使用者は把持部１のみの薄さのタッチペンを持って使っている状態となるため、指先で持つ力を必要とせず、かつ、親指がクリップ部３の穴３１に入り込むことにより安定するため、薄型で持ちやすく、使いやすくて疲れにくい。
【００１５】
これは、使用者の親指の腹がタッチペン１０のクリップ部３の穴３１に入り込むことにより、その分、使用者にとって薄い持ち心地となり、指先で持つ力をより一層必要としなくなるからである。また、タッチペン１０のクリップ部３の穴３１に使用者の親指の腹が入り込むことにより、穴３１の枠に指がかかり、タッチペンが安定するようになる。この安定感が、指先の力に影響して持つ力を必要とせず、使用感も良くなり、ストレスなく使えるようになるのである。
【００１６】
また、図３は、図１に示すタッチペン１０を使用者が持ち歩いているカバン４に取り付けている状態を示す説明図である。この図３は、クリップ部３が把持部１と一体となってカバン４の縁部分（薄い物体）を挟み込んで保持されている状態を示している。すなわち、このタッチペン１０を使用していないときには、使用者のカバン４や手帳などに一般的なクリップのように取り付けて保持することが可能であり、これにより、紛失しにくい。
【００１７】
なお、この実施の形態１におけるタッチペン１０の素材は、導電性プラスチックであるが、タッチペン１０の素材としては、情報端末装置１００のタッチ検出方式や検出精度に応じて、ポリエチレン等や導電性ポリマー等、種々のものが用いられることはよく知られているので、ここでは詳細な説明を省略する。
【００１８】
以上のように、この実施の形態１のタッチペン１０によれば、略平板状に形成された把持部１と、当該把持部１に連続して折り返されたクリップ部３に使用者の親指が入り込むことにより、使用者は把持部１のみの薄さのタッチペンを持って使っている状態となるため、指先で持つ力を必要とせず、かつ、親指がクリップ部３の穴３１に入り込むことにより安定するため、薄型で持ちやすく、使いやすくて疲れにくいというメリットがある。また、把持部１とクリップ部３とにより他の薄い物体を挟み込むことができるので、使用者のカバンや手帳に取り付けて持ち歩くことが可能なため、紛失しにくいというメリットもある。
【００１９】
なお、本願発明はその発明の範囲内において、実施の形態の任意の構成要素の変形、もしくは実施の形態の任意の構成要素の省略が可能である。
【符号の説明】
【００２０】
１  把持部
２  ペン先部
３  クリップ部
４  カバン
１０  タッチペン
３１  クリップ部３の穴
１００  情報端末装置
【図１】
2020038414.tif 000003
【図２】
2020038414.tif 000004
【図３】
2020038414.tif 000005
【手続補正書】
【提出日】平成30年12月14日(2018.12.14)
【手続補正１】
【補正対象書類名】明細書
【補正対象項目名】０００７
【補正方法】変更
【補正の内容】
【０００７】
上記目的を達成するため、この発明は、タッチ入力が可能な情報端末装置に対して使用者が入力を行うためのタッチペンであって、略平板状に形成された把持部と、当該把持部に連続して設けられたペン先部と、前記ペン先部とは反対方向へ前記把持部に連続して設けられたクリップ部とを備え、前記クリップ部は、前記把持部と略同じ大きさの外形であり、前記把持部と一体となって他の薄い物体を挟み込むことが可能なように前記把持部に連続した部分で折り返され、かつ、当該クリップ部の中央には前記使用者が把持した際に前記使用者の親指が入り込むように穴があけられていることを特徴とする。
【手続補正２】
【補正対象書類名】特許請求の範囲
【補正対象項目名】全文
【補正方法】変更
【補正の内容】
【特許請求の範囲】
【請求項１】
タッチ入力が可能な情報端末装置に対して使用者が入力を行うためのタッチペンであって、
略平板状に形成された把持部と、
当該把持部に連続して設けられたペン先部と、
前記ペン先部とは反対方向へ前記把持部に連続して設けられたクリップ部とを備え、
前記クリップ部は、前記把持部と略同じ大きさの外形であり、前記把持部と一体となって他の薄い物体を挟み込むことが可能なように前記把持部に連続した部分で折り返され、かつ、当該クリップ部の中央には前記使用者が把持した際に前記使用者の親指が入り込むように穴があけられている
ことを特徴とするタッチペン。